(57)【要約】      （修正有）【課題】チエーンのリンクとスプロケット歯との接触を位相調整して発生するノイズパターンを変更する。【解決手段】サイレントチエーン１０及びスプロケット組立体はランダムチエーン組立体と一対の位相調整されたスプロケットとを備えている。チエーン組立体の一つの実施例は一対の垂れ下がったつま先部３０、３２を有するリンク２２と単一の垂れ下がるつま先部４６を有するリンク２４とを備えている。変更されたスプロケットは隔てられ歯の幾つかの層を備えている。歯の層は位相調整するために千鳥に並べられている。【選択図】図１
2006308106.tif 000002
【特許請求の範囲】
【請求項１】
チエーン組立体用の単一のつま先部付きリンクであって、チエーン組立体が複数の並べられた関節運動をするリンクの組を備え、前記関節運動をするリンクが単一のつま先部付きリンクと二つのつま先部付きリンクとを備え、ピボット装置が隣接するチエーンリンクの組みを連結し、前記単一のつま先部付きリンクが前記チエーンリンクと並べられている、単一のつま先部付きリンクにおいて、
前記ピボット装置を受ける一対の穴を有するリンク本体と、
前記リンク本体から垂れ下がっている単一のつま先部と、
を備え、前記単一のつま先部が前記対の穴の間に配置されかつ複数のフランクを有し、前記チエーン組立体内に並べられたとき前記フランクの少なくとも一つがスプロケットと駆動接触するようになっているリンク。
【請求項２】
請求項１に記載の単一のつま先部付きリンクにおいて、前記チエーン組立体内に並べられたとき前記フランクの各々がスプロケットと駆動接触するようになっているリンク。
【請求項３】
請求項１に記載の単一のつま先部付きリンクにおいて、前記単一のつま先部が前記穴の間のリンクの垂直中心線に対称に形成されているリンク。
【請求項４】
請求項１に記載の単一のつま先部付きリンクにおいて、前記単一のつま先部が前記穴の間のリンクの垂直中心線に非対称に形成されているリンク。
【請求項５】
チエーン組立体と共に使用するためのスプロケットであって、前記チエーン組立体が複数の並べられたリンクの組を備え、ピボット装置が隣接するリンクの組を連結し、前記リンクが前記ピボット装置を受ける一対の穴を有する、スプロケットにおいて、
複数の歯の層を備え、前記層の各々が前記チエーン組立体と接触するようになっている複数の隔てられた歯を有するスプロケット。
【請求項６】
請求項５に記載のスプロケットにおいて、前記歯が等しく隔てられているスプロケット。
【請求項７】
請求項５に記載のスプロケットにおいて、前記チエーン組立体が複数の単一のつま先部付きリンクを備え、前記単つま先部付きリンクが前記つま先部に一対のフランクを有し、
前記スプロケットの層の少なくとも一つの層の前記スプロケットの歯が前記単つま先部付きリンクのフランクと接触するようになっているスプロケット。
【請求項８】
複数のチエーン組立体を備え、前記チエーン組立体が複数の並べられた関節運動するリンクの組を有し、前記リンクがスプロケットの歯と接触するようになっており、ピボット装置が隣接するリンクの組を連結し、各リンクが前記ピボット装置を受けるための一対の穴を限定する複合伝動チエーン組立体において、
股部によって隔てられた一対のつま先部を有する関節運動するリンクを備える第１のチエーン組立体と、
単一のつま先部を有する関節運動するリンクを備える第２のチエーン組立体と、
を備える複合チエーン組立体。
【請求項９】
スプロケットと共に使用する請求項８に記載の複合チエーン組立体であって、前記スプロケットが歯の複数の層を備え、前記層の各々がチエーン組立体のリンクと接触するようになっている複数の隔てられた歯を有する複合チエーン組立体において、
前記スプロケットが前記第１のチエーン組立体のリンクと接触するように配置された歯を有する第１の部分を備え、前記スプロケットが前記第２のチエーン組立体のリンクと接触するように配置された歯を有する第２の部分を備え、前記第２の部分の前記歯の位置が前記第１の部分の前記歯の位置に関してオフセットされている複合チエーン組立体。
【発明の詳細な説明】
【技術分野】
【０００１】
本発明は全体的に伝動チエーンに関する。本発明は、トルクコンバータから変速機に動力を伝達する場合又は四輪駆動車両の伝動装置ケース内で使用されるのと同様にエンジンのタイミングのために使用される、内向き歯を有すチエーン又はサイレントチエーンの種類の伝動チエーンに特に適用される。
【０００２】
本発明は、衝撃ノイズスペクトル及び弦作用（ｃｈｏｒｄａｌ  ａｃｔｉｏｎ）ノイズスペクトルを変更するためのチエーン組立体及びスプロケットの同調に関する。特に、本発明はこれらのノイズスペクトルを変えるために位相を持たせたすなわち位相調整された（ｐｈａｓｅｄ）スプロケットと関連してハイブリッドチエーンを使用することを含む。本発明の一つのスピーシスは、内向き歯を有するチエーン組立体において、単一のつま先部付きリンクと二つのつま先部付きリンクの組み合わせを含む。
【背景技術】
【０００３】
伝動チエーンは自動車産業において広く使用されている。これらのチエーンはトルクコンバータから変速機への動力の伝達のため又は伝動装置ケース内での動力の伝達のためと同様にエンジンのタイミング駆動すなわち調時駆動のために使用される。伝動チエーンは、また、産業上の用途に広く使用される。
【０００４】
伝動チエーンの一つの形式は「サイレントチエーン」と呼ばれる。このようなチエーンは内向き歯を有する並べられた複数のリンクの組を備える。リンクの組すなわち横列は、互いに横に隣接して配置された幾つかのリンクから組み立てられている。リンクはピボット装置によって接続され、そのピボット装置は典型的には一対の穴内に受けられた円形のピンである。サイレントチエーンの例は米国特許第４，３４２，５６０号に示され、その特許は参考としてこの明細書に組み込まれている。
【０００５】
通常のサイレントチエーンは、典型的には、ガイドリンクと内向き歯付きリンクとを備える。ガイドリンクは一つおきのリンクの組の外側縁に配置されている。ガイドリンクは典型的にはチエーンをスプロケットに横方向に位置決めする作用をする。ガイドリンクは典型的にはスプロケットとはかみ合わない。
【０００６】
内向き歯付きリンク、すなわちスプロケット係合リンクはチエーンとスプロケットとの間で動力を伝達する。各内向き歯付きリンクは、典型的に、一対の穴及び一対の垂れ下がったつま先部すなわち歯を備えている。各つま先部は内側フランクと外側フランクとによって限定されている。内側フランクはクロッチすなわち股部で接合されている。内向き歯付きリンクは、典型的に、リンクがスプロケット歯と接触してチエーン組立体とスプロケットとの間で動力を伝達するように、設計されている。内向き歯付きリンクすなわち駆動リンクは、その内側リンクフランク又は外側リンクフランク或いは両フランクに沿ってスプロケット歯と接触する。リンクとスプロケット歯との接触は、動力の伝達を行う形式でもよく、又は付随的接触の性格のものでもよく、或いは歯元接触又は側部接触を含み得る。
【０００７】
通常のサイレントチエーン駆動装置は、軸によって支持された少なくとも二つのスプロケットに掛けられた無端のサイレントチエーンを備えている。駆動スプロケットを回転するとチエーンを介して動力が伝達され、最終的に被駆動スプロケットが運動する。エンジンタイミング駆動装置への応用において、駆動スプロケットはエンジンのクランク軸に取り付けられかつ被駆動スプロケットはカム軸に取り付けられる。カム軸の回転はチエーンを介してクランク軸の回転によって制御され、その回転に依存する。エンジンタイミング駆動装置用のチエーンは米国特許第４，７５８，２１０号に示され、その米国特許は参考としてこの明細書に組み入れられている。
【０００８】
通常のチエーン駆動装置はチエーンに大きな強度を与えるために幅の広いチエーン組立体を備えている。代わりに、単一の幅広のチエーンと同等の動力伝達を達成するために、二つのチエーン組立体を対のスプロケット間に並べて配置することができる。
【０００９】
騒音すなわちノイズはチエーン駆動装置に付き物である。ノイズは種々の発生源によって発生されるが、サイレントチエーン駆動装置においては、ノイズは、部分的には、かみ合い開始時におけるチエーンとスプロケットの衝突によって発生される衝撃音によって引き起こされる。衝撃音の騒々しさは、とりわけ、チエーンとスプロケットとの間の衝撃速度及び特定のモーメント増又は時間増におけるスプロケットと接触しているチエーンリンクの質量によって影響される。
【００１０】
かみ合い衝撃音は一般的にチエーン駆動装置においては周期的な音である。衝撃音はスプロケットとかみ合うチエーンの周期にほぼ等しい周期で繰り返される。周期はスプロケットの歯の数及びスプロケットの速度に関係する。衝撃は不愉快な純粋なソニックトーン（ｓｏｎｉｃ  ｔｏｎｅ）を有する音を発生する。
【００１１】
チエーン駆動装置における他のノイズの原因はチエーンがスプロケットの回りで駆動されるときのチエーンとスプロケットとの弦作用（ｃｈｏｒｄａｌ  ａｃｔｉｏｎ）である。弦作用は、チエーンリンクがフリーチエーンからスプロケットに巻き付くときに発生する。チエーンのかみ合い周期におけるチエーンとスプロケットとのかみ合いは、フリーチエーンすなわちスパン（チエーンのスプロケット間の部分）がチエーン移動に垂直な方向であるがチエーン及びスプロケットと同じ平面内での移動することに起因する。この振動はチエーンかみ合い周期の周期で又はその導関数（ｄｅｒｉｖａｔｉｖｅ）で純粋なソニックトーンを発生する。
【００１２】
サイレントチエーンの種類のチエーン駆動装置におけるノイズレベル及びピッチ周期分布を減少して純粋なソニックトーンの不愉快な影響を最小にするために、多くの努力が成されて来た。サイレントチエーン駆動装置におけるノイズの減少の問題は、米国特許第４，３４２，５６０号においては、サイレントチエーンのリンクフランクとスプロケット歯との間の接触を、異なる組のチエーンに異なる形状のリンクフランクを使用して、変えることによって行っている。上記米国特許は、異なるフランク形状のリンクを混ぜ合わせることによって、リンクの輪郭の形式を交互にしそれによって接触点及び接触リズムを変えることによって、スプロケットと接触するチエーンから発生される音のパターンを変更するように試みた。
【００１３】
この明細書に参考として組み込まれた米国特許第４，９１５，６７５号はリンクの輪郭の形式を変えることによってチエーンから発生される音のパターンを変更するという同じ概念を利用した。この米国特許は非対称に形成されたリンクを使用することを教示し、そのリンクから音はチエーン組立体において二つの異なる方向において発生されてチエーン対スプロケット接触の点及びリズムを変える。
【００１４】
サイレントチエーン駆動装置とスプロケットとの間の接触のリズムを変える他の試みは、スプロケット上でのスプロケット歯の間隔を変えることである。例えば、この明細書に参考として組み込まれている米国特許第３，３７７，８７５号及び米国特許第３，４９５，４６８号は、サイレントチエーンのリンクとスプロケット歯との間の接触におけるノイズの減少を達成するために、あるスプロケット歯の変更又はある歯の除去を教示している。
【００１５】
本発明は、チエーン及びスプロケットの構造の両者においてノイズを減少するために、不規則化の一般的な概念を利用している。本発明は、チエーンとスプロケットとの接触によって発生される衝撃音パターン及び弦作用音パターンを変えることによってノイズを減少することを意図している。本発明は、チエーン組立体とスプロケットとの間の種々の位相調整関係（ｐｈａｓｉｎｇ  ｒｅｌａｔｉｏｎｓｈｉｐ）でチエーンとスプロケットとの接触の不規則化の組み合わせを与えることによって、これらの音のパターンを変更しようと試みた。チエーンとスプロケットとの関係を位相調整することにより、与えられた時間増分変化（ｔｉｍｅ  ｉｎｃｒｅｍｅｎｔ）の間にスプロケットと衝突するチエーンリンクの歯の数（又はチエーンの質量）を減少できる。同様に、チエーンとスプロケットとの関係を位相調整することにより、チエーン及びスプロケットの弦作用又は関節運動を変え或いは位相調整できる。これら両者の位相調整の変更により、チエーン及びスプロケットの接触の不規則化と関連して、衝撃又は弦作用によって発生する音のパターンを変更される。
【００１６】
従来技術の位相調整関係を使用することに関して、サブ（Ｓａａｂ）９９自動車の従来技術の手動変速装置は三つの個々のローラチエーンを三つの隔てられたスプロケットに平行に使用していた。これらのローラチエーンは本発明の内向き歯付きチエーンと異なり、かつ異なる動力伝達をおこないかつ異なるノイズ特性を有し、本発明とは異なる不規則化の概念を利用している。三つの同等のローラチエーンは互いに平行に移動し、各チエーン及びスプロケットは隣接するチエーン及びスプロケットに関して１／３ピッチ位相が付けられている。
【００１７】
ジェンセン・インターセプタ（Ｊｅｎｓｅｎ  Ｉｎｔｅｒｃｅｐｔｅｒ）の従来技術の四輪駆動伝動装置ケースは、二つの同じの通常の内向き歯付き伝動チエーンの形状を有し、そのチエーンはロッカージョイント及び全て同じ形状及び向きのリンクを一対の隔てられたスプロケットと平行に有している。スプロケットは互いに１／２歯位相が付けられている。スプロケットと軸のスプラインとの間の公差がスプロケットと軸との間の緩みを防止するのに十分小さくなっているかどうか、かつ経験上のチエーンが弦作用の位相調整を行ったかどうかを知られていない。
【００１８】
本発明の一つのスピシースは、単一のチエーン組立体又は二重チエーン組立体に単一のつま先部を有する内向き歯付きリンクと通常の二つのつま先部を有する内向き歯付きリンクとの組み合わせを使用することによって不規則化を達成したサイレントチエーン組立体を使用することによって、位相調整関係を与えることを意図している。単一のつま先部を有するリンクと二つのつま先部を有するリンクとの組み合わせにより、チエーン及びスプロケット組立体におけるリンクとスプロケット歯との接触のパターンを不規則にしかつ変更する。単一のつま先部付きリンクは、位相調整関係を有する又は位相調整関係を有しないスプリットスプロケットと協働して、チエーン組立体に設けられる。
【００１９】
従来技術のチエーンは単一つま先部付きリンクを使用したが、二重チエーン又は位相調整されたチエーン組立体に使用していない。例えば、米国特許第９５９，０４６号は単一のつま先部付きガイドリンクを示している。しかしながら、ガイドリンクはチエーン組立体をスプロケット上に保持するだけのために作用する。ガイドリンクはスプロケットから又はスプロケットへ直接動力の伝達は行わず、したがってチエーンかみ合い周期においてスプロケットと衝突しない。したがって、単一のつま先部付きガイドリンクの使用はスプロケット歯と接触するリンク又は関節運動するリンクによって発生されるノイズスペクトルに影響を与えない。
【００２０】
米国特許第５７９，７４２号は、わずかに中心がずれて置かれた単一のつま先部付きリンクを有するチエーンを示している。このリンクはスプロケットの空洞内に受け入れられる摩擦防止ボールを介してスプロケットと係合する。チエーンの全てのリンクは単一のつま先部を有する。
【００２１】
米国特許第６３７，０５６号は、ほぼ中央に配置された単一のつま先部付きリンクを有するチエーンを示している。この特許は基部においてリンクのつま先部と接触する円筒状のスプロケット歯を有するチエーンを示している。リンク及び円筒状のつま先部の接触はつま先部の両側で発生する。チエーンの全てのリンクは単一のつま先部を有する。
【００２２】
位相調整されたチエーン及びスプロケット組立体の一部として、本発明は変形したスプロケット構造を提供する。変形したスプロケットはランダムすなわちハイブリッドチエーン組立体と共に、又は単一のつま先部付きリンクチエーン組立体と共に使用され得る。単一のつま先部付きリンク及びスプロケットは、チエーンとスプロケットとの間の接触パターンを変更しかつリンクがスプロケット歯から離れるときのリンクのスプロケットとの干渉の問題を最小にする試みにおいて利用された。
【発明の開示】
【発明が解決しようとする課題】
【００２３】
本発明の目的は、チエーンのリンクとスプロケット歯との接触を位相調整してノイズパターンを変更したチエーン及びスプロケット組立体を提供することである。
【課題を解決するための手段】
【００２４】
本願の一つの発明は、チエーン組立体用の単一のつま先部付きリンクであって、チエーン組立体が複数の並べられた関節運動をするリンクの組を備え、前記関節運動をするリンクが単一のつま先部付きリンクと二つのつま先部付きリンクとを備え、ピボット装置が隣接するチエーンリンクの組みを連結し、前記単一のつま先部付きリンクが前記チエーンリンクと並べられている、単一のつま先部付きリンクにおいて、
前記ピボット装置を受ける一対の穴を有するリンク本体と、
前記リンク本体から垂れ下がっている単一のつま先部と、
を備え、前記単一のつま先部が前記対の穴の間に配置されかつ複数のフランクを有し、前記チエーン組立体内に並べられたとき前記フランクの少なくとも一つがスプロケットと駆動接触するようになって構成されている。
本願の他の発明は、チエーン組立体と共に使用するためのスプロケットであって、前記チエーン組立体が複数の並べられたリンクの組を備え、ピボット装置が隣接するリンクの組を連結し、前記リンクが前記ピボット装置を受ける一対の穴を有する、スプロケットにおいて、
複数の歯の層を備え、前記層の各々が前記チエーン組立体と接触するようになっている複数の隔てられた歯を有するように構成されている。
本願の別の発明は、複数のチエーン組立体を備え、前記チエーン組立体が複数の並べられた関節運動するリンクの組を有し、前記リンクがスプロケットの歯と接触するようになっており、ピボット装置が隣接するリンクの組を連結し、各リンクが前記ピボット装置を受けるための一対の穴を限定する複合伝動チエーン組立体において、
股部によって隔てられた一対のつま先部を有する関節運動するリンクを備える第１のチエーン組立体と、
単一のつま先部を有する関節運動するリンクを備える第２のチエーン組立体と、
を備えて構成されている。
本願の更に別の発明は、スプロケットと共に使用する請求項８に記載の複合チエーン組立体であって、前記スプロケットが歯の複数の層を備え、前記層の各々がチエーン組立体のリンクと接触するようになっている複数の隔てられた歯を有する複合チエーン組立体において、
前記スプロケットが前記第１のチエーン組立体のリンクと接触するように配置された歯を有する第１の部分を備え、前記スプロケットが前記第２のチエーン組立体のリンクと接触するように配置された歯を有する第２の部分を備え、前記第２の部分の前記歯の位置が前記第１の部分の前記歯の位置に関してオフセットされて構成されている。
【作用】
【００２５】
本発明は一対のランダムすなわちハイブリッドチエーン組立体と一対のスプロケットとの間に位相調整関係を与えることである。位相調整は衝撃発生ノイズスペクトルと同様に弦作用発生ノイズスペクトルを変更するために与えられる。従来技術は、このような変更をチエーンのリンクの両方、又はスプロケット歯の間隔により行ってきたが、本発明は、このような変更をチエーン組立体とスプロケットとの間の位置決めの関係により行っている。本発明の位相調整はチエーン構造、スプロケット構造及びチエーン組立体とスプロケットとの位置決めの間の関係を含んでいる。
【００２６】
チエーン及びスプロケットの位相調整により、与えられた時間増中にスプロケットに衝突するチエーンリンクの歯の数（又は質量）を減少することができる。同様に、チエーンとスプロケットとの関係を位相調整することにより、チエーン及びスプロケットの弦作用又は関節運動を変更し又は位相調整される。チエーンの不規則化すなわちランダム化及びスプロケットの位相調整の修正は衝撃で発生する及び弦作用で発生する音パターンを変更する。
【００２７】
本発明の位相調整は、チエーン組立体の修正によると共にスプロケットの修正によって達成される。スプロケットの修正すなわち変更は、１／２歯、又は１／２ピッチ位相調整されたスプリットすなわち分割スプロケットを使用することを含む。チエーン組立体の変更は、同一又は二重チエーン組立体に単一のつま先部付きリンク及び二つのつま先部付きリンクを使用することによる不規則化すなわちランダム化を含む。
【００２８】
本発明の一つの実施例において、一つ又は二つのランダム（又はハイブリッド）チエーンは、一方の側が他方の側より１／２歯進んでいる分割スプロケットが設けられている。ランダムすなわちハイブリッドチエーンは、二つの異なる形状のリンクの組、又は第２組のリンクと異なる第１組のリンクを備えている。二つのリンクの組のリンクは、輪郭、フランクの形状、先行内側フランクの形状、外側フランクの形状、ピッチ、向き（非対称リンクにおけるように）、スプロケット歯との駆動接触の形式、又は他の形式の不規則化において異なっている。
【００２９】
このような実施例は、ランダム化並びに二つのチエーン組立体の広い幅を有す単一のチエーンと比較して、与えられた時間増分変化中に歯の１／２を有効にスプロケット歯と衝突させることによって衝撃ノイズスペクトルを位相調整する。この実施例は二つのチエーンのピンを１／２ピン片寄らすすなわちオフセットすることによってチエーンの弦作用を位相調整される。ランダム化により、衝撃及び弦作用発生ノイズスペクトルにおけるスプロケットの位相調整の影響が増大する。
【００３０】
本発明の第２の実施例において、一つ又は二つの第２のランダムすなわちハイブリッドチエーンは、一方の側が他方の側よりも１／２歯進んで位相調整された分割スプロケットが設けられ、スプロケット歯はランダム化されている。スプロケット歯の不規則化は、間隔の変更、歯の逃がし又は歯の除去のようなあらゆる方法であり得る。
【００３１】
これらの実施例の各々は、後述の他の実施例と同様に、複数のチエーン組立体を含んでよく、それらのチエーン組立体は二つ、三つ又は四つのチエーンストランド（ｓｔｒａｎｄ）の組立体を含む。加えて、スプロケットは１／４歯、１／３歯又は１／２歯位相調整されてもよく、同様に他のピッチの値で位相調整されてもよい。更に、二重チエーン組立体は軸に沿って隔てられてもよく、かつ分割スプロケットの一部である必要はない。このような形状において、スプロケットは軸にぴったりとスプライン接続されて弦作用の位相調整を可能にするよう注意する必要がある。
【００３２】
更に、修正すなわち変更はチエーン組立体にも行われる。本発明の一つの実施例において、不規則化は異なるピッチの二つのチエーン組立体を与えることによって達成される。本発明の他の実施例において、チエーン組立体の不規則化は、一対の垂れ下がったつま先部付きリンクと単一の垂れ下がったつま先部付きリンクの組み合わせによって達成される。他の実施例において、チエーン組立体はガイドリンク列において非ガイドリンク列におけるよりも少ないリンクを有する組み合わせを備えている。
【００３３】
各チエーン組立体において、リンクはリンクの組を形成するように並べられている。各リンクは一対の穴を備え、一つのリンクの組の穴は連結するために隣接するリンクの組の穴と整合されている。円形のピン又はロッカージョイントの形式のピボット装置が穴を通して隣接するリンクの組を接続するためにかつ隣接するリンクの組の間の枢動運動を許容するために使用される。ガイドリンクは交互の組に配置されチエーンをスプロケットに整合させる。
【００３４】
単一のつま先部付きリンク及び二つのつま先部付きリンクを有する実施例のチエーン組立体は、二つの異なるリンクを、リンクの組すなわちチエーンの幅を横切って伸びる列に使用する。リンクは、リンクのスプロケット歯との接触パターンを変えるために組ごとにパターンを成して配列されている。したがって、単一のつま先部付きリンクのチエーン組立体の組毎に又は単一の組を成して、一つ又はそれ以上の二つのつま先部付きリンクに一つ又は二つのつま先部付きリンクが続き、そのリンクに一つ又は二つ以上のつま先部付きリンクが続いてチエーンの幅を横切る組みを形成している。
【００３５】
チエーン組立体の長手方向に沿って伸びるリンクの縦列において、ある縦列は二つのつま先部付きリンクのみを含み、他の縦列は単一のつま先部付きリンクのみを含む。一つの実施例において、二つのつま先部付きリンク及び単一のつま先部付きリンクはチエーンの縦列内に配置されかつチエーンの長さ方向に走行する特定のリンクの縦列は二つのつま先部付きリンク又は一つのつま先部付きリンクのいずれかを含む。一つの特別の実施例において、二つのつま先部付きリンクの複数の縦列はチエーンの幅の外側に形成され、単一のつま先部付きリンクは単一又は複数の縦列を成してチエーンの幅の内側に配置される。中央にある単一のつま先部付きリンクは、チエーンをスプロケットに沿って保持するための内側ガイドリンクとして作用する。したがって、チエーンの外側縁に側面のある（ｆｌａｎｋｉｎｇ）ガイドリンクを使用することはある実施例においては排除されている。単一のつま先部付きリンクのつま先部はリンクの中心に対称的に配置されてもよく、或いはリンクの中心に関して僅かにオフセットされて又は非対称に配置されてもよい。
【００３６】
本発明の他の実施例において、チエーン及びスプロケット組立体は分割スプロケット及びスプロケット上に並べられた二つのチエーンを備える。チエーン組立体の一つのチエーンは単一のつま先部付きリンクで組み立てられる。組立体の第２のチエーンは通常の二つのつま先部付きリンクで組み立てられる。
【００３７】
この実施例において、スプロケットは分割されかつ第１のチエーンすなわち一方の側に単一のつま先部付きリンクを有するチエーン組立体部分、及び第２のチエーンすなわち他方の側に二つのつま先部付きリンクを有するチエーン組立体部分と調和するように造られ、かつ一方の側のスプロケット歯は他の側のスプロケット歯よりおおよそ１／２間隔進んで位相調整されている。このようなチエーン組立体において、一つのチエーンの関節運動点は他のチエーンの関節運動点よりおおよそ１／２間隔進んでいる。代わりに、スプロケット部分は位相調整されていないが、歯は整合されている。
【００３８】
この実施例は、前に記載された実施例におけるように、組合わされて単一のチエーン組立体につくられる。このような複合チエーン組立体において、単一のつま先部付きリンクはチエーンの長さに沿って一方の側にありかつ二つのつま先部付きリンクはチエーンの長さに沿って他方の側にある。複合チエーン組立体は分割スプロケットと共に使用される。
【００３９】
本発明の教示にしたがって造られたサイレントチエーン組立体及びスプロケットの使用により、リンクの全てが同じでありかつ二つの垂れ下がったつま先部すなわち歯を有するチエーン及びスプロケット、又は位相調整されたチエーン及びスプロケットの関係を利用していないチエーン及びスプロケット組立体によって発生されるノイズパターンに比較して修正されたノイズパターンを発生することが期待されている。本発明のチエーン組立体は種々の形式のチエーン組立体及び種々のスプロケット歯の形状に使用するのに適している。
【実施例】
【００４０】
以下、図面を参照して本発明の実施例について説明する。
図面において、本発明はランダムチエーン組立体及びそれに関連したスプロケットの位相調整を行うことを意図している。位相調整は衝撃発生ノイズスペクトルと共に弦運動発生ノイズスペクトルを変更するために行われる。
【００４１】
本発明は、チエーンリンクの歯のスプロケット歯との衝突パターンを変更することによって衝撃音スペクトルを修正する。特定のリンクの組すなわちリンク横列が同じ形状又は同じピッチのリンクである通常のチエーン組立体において、横列のリンクの歯のフランクは、全てほぼ同じ瞬間にスプロケット歯と接触する。ランダムすなわちハイブリッドチエーン組立体において、リンクの組は異なる形状、輪郭、向き又はピッチのリンクを備えている。ランダムチエーンにおいて、ある横列のリンクの歯のフランクは、全てスプロケットの歯とほぼ同時に又は同じ瞬間に接触するが、リンクとスプロケット歯との接触のパターンは組の間で修正される。特定の瞬間又は時間増分変化中にスプロケットと接触するチエーンリンクのタイミング又は質量を位相調整又は修正することにより、チエーンとスプロケットとの接触によって発生される衝撃音は更に少なくされかつ接触によって発生される純粋のソニックトーンもまた少なくされ或いは排除される。
【００４２】
本発明は幾つかの異なる方法で衝突の位相調整を行う。幾つかの記載された実施例において、チエーン組立体は幾つかの部分に分割されかつ各部分に対するスプロケットは１／４歯間隔、１／３歯間隔又は１／２歯間隔だけチエーン組立体の隣接する部分に関して位相調整される。このように、与えられた時間増分変化中にスプロケットと接触するリンクの質量は減少されかつ接触の繰り返しは更に変更される。
【００４３】
本発明は、更に、弦作用によって発生される音パターン又はスペクトルを修正するために、チエーン及びスプロケットの弦作用を位相調整又は修正する。弦作用はチエーンリンクがチエーンのフリースパンからスプロケットに巻き付くときに起こる。リンクは、リンクがスプロケット歯と接触しかつスプロケットに巻き付いて着座するとき、フリースパンに関して枢動される。弦作用によりチエーンはチエーンの直線運動に関して垂直の方向に運動しかつ不愉快な純粋のソニックトーンを発生する。弦作用によりチエーンの直線運動に速度変化が発生し、その速度変化によりスプロケットに作用する張力が変化する。
【００４４】
本発明は弦作用の位相調整を幾つかの方法で提供する。ランダムチエーン組立体が幾つかの部分に分割されかつスプロケットがこれらの部分間で位相調整された関係に置かれている実施例において、チエーンの弦作用はチエーン組立体の各々の部分におけるピンの配置によって位相調整される。ピンをチエーンの隣接する部分においてオフセットすること（これはスプロケット歯の位相調整の結果である）によって、スプロケットに巻き付くチエーンの弦運動はチエーン組立体の隣接する部分に関して位相調整される。
【００４５】
本発明の幾つかの実施例において、チエーンリンクとスプロケットとの間の衝突のみが位相調整される。他の実施例において、チエーン組立体とスプロケットとの間の弦運動のみが位相調整される。幾つかの実施例において、衝突及び弦運動の両者が位相調整される。
【００４６】
図１は本発明のチエーン組立体の一つの実施例の一部を全体を１０で示す。チエーン組立体は、ハイブリッド形式又はランダム形式でよく、そこにおいてリンクは、米国特許第４，３４２，５６０号に示されるように二つの異なる形式のリンクの組として与えられる。図１に特に示されるチエーンは本発明の一つのスピーシスであり、そのスピーシスは二つの内向き歯を有するリンクの組及び単一の内向き歯を有するリンクの組を備え、それについては以下において詳細に説明する。
【００４７】
チエーン組立体はリンクの組すなわち横列１２、１４を備え、それらは図２により詳細に示されている。リンクの一つの組すなわち横列はチエーンの幅を横切って伸びかつ幾つかの並べられたリンクを備える。リンクの組は、その後、無端のチエーン組立体を形成するように隣接するリンクの組に差し込んで並べられる。
【００４８】
チエーン組立体は、例えば、カム軸（図示せず）及びクランク軸（図示せず）を有するエンジンタイミング組立体を駆動するために使用される。軸には図３及び図４に示されるスプロケット１８、１９のようなスプロケットが取り付けられる。スプロケットはチエーンと二つの軸との間で動力を伝達する装置を提供する。図４のスプロケット１９は二つの部分８６、８８に分割され、それらの部分は１／２歯間隔だけ位相調整されるすなわちオフセットされている。図３のスプロケット１８は、１／２歯間隔だけオフセットされている三つの部分７０、７２、７４に分割されている。代わりに、スプロケット１８の部分はスプロケットの各々に対して１／３歯間隔だけオフセットされてもよい。
【００４９】
スプロケットの部分は互いに隣接して置かれてよく、単一の部品として形成されても或いは互いに接合されてもよい。代わりに、スプロケットの部分は別個にされ、軸の長手方向に沿って隔てられてもよい。しかしながら、スプロケットが隔てられたときそのスプロケットは軸にぴったりとスプライン接続されることに、注意しなければならない。スプロケットとスプラインとの間の過剰の公差は組立体の弦作用の位相調整をだめにする。
【００５０】
本発明の一つの実施例において、異なる輪郭、形状、向き及びピッチを有するリンクを有するリンクの組を備えたチエーン組立体である一対のハイブリッドすなわちランダムチエーン組立体は、図４の位相調整されたスプロケット部分８６、８８と共に使用される。スプロケットの部分を１／２歯間隔だけ位相調整するすなわちオフセットすることによって、衝撃ノイズスペクトル及び弦作用スペクトルは位相調整される。チエーンのリンクの不規則化すなわちランダム化は、更に、衝撃音スペクトル及び弦作用音スペクトルを修正し、そのことにより、チエーンは通常のチエーン及びスプロケット組立体より低ノイズにすることができる。第２の実施例において、三つのランダムチエーン組立体が図３に示される位相調整されたスプロケット部分と共に又は１／３歯間隔だけ位相調整された三つのスプロケット部分と共に使用される。別のチエーンが別のスプロケット部分と共に使用される別の同様の実施例が可能であり、スプロケット部分の位相調整関係は歯間隔の関係を異ならせるために変更され得る。
【００５１】
本発明の他の実施例において、上記のランダムチエーンは位相調整されたスプロケットとしてのランダムすなわちハイブリッドスプロケットと共に使用される。ハイブリッドスプロケットは不均等に隔てられた歯を利用する。歯の間隔は、ある歯のある部分を逃がすことによって、或いはスプロケット歯のフランクの形状を変更することによって、変更され得る。ハイブリッドスプロケットは標準のスプロケットと共に、又は上記の実施例のいずれかと組み合わせて対のハイブリッドスプロケットで使用され得る。
【００５２】
本発明の他の実施例において、不規則化は、図３及び図４のスプロケットと異なるピッチの二つのチエーンと共に使用することによって、達成される。例えば、約０．９５３ｃｍ（３／８インチ）ピッチのチエーンは図４のスプロケット部分８６と共に使用され、約１．２７ｃｍ（１／２インチ）ピッチのチエーンは図４のスプロケット部分８８と共に使用され得る。異なるピッチのチエーンを使用することにより、チエーンとスプロケットとの間の接触のパターンが更に不規則にされ又は変更され、それによって衝撃発生音スペクトル及び弦作用発生音スペクトルが変更される。スプロケットは、異なるピッチのチエーンに合うようにスプロケットに異なる数の歯を使用することによって、位相調整される。
【００５３】
動作において、本発明のチエーン組立体はチエーンのスプロケットとの接触パターンを変更する。リンクのスプロケットとの衝突はチエーン組立体においてランダムチエーンを位相調整されたスプロケットと共に使用することによって変更される。加えて、スプロケットの弦作用はスプロケットとかみ合うチエーンの修正すなわち変更故に変えられかつ減少される。チエーン及びスプロケットの記載した方法での変更により接触パターンが変更し、それによりチエーンに対するノイズスペクトルが変更する。
【００５４】
本発明の教示にしたがって造られたチエーン組立体又はスプロケットの使用により、全てのリンクが同じ形状でありかつ組立体のスプロケット間に位相調整関係が無いチエーン及びスプロケットによって発生されるノイズパターンに比較して修正されたノイズパターンを発生する。本発明のチエーン組立体は種々の形式のチエーン及びスプロケット歯の形状と共に使用するのに適している。もちろん、チエーン組立体及びスプロケット位相調整関係の組み合わせパターンは他の組み合わせよりも好ましくないノイズ特性を少なくする。
【００５５】
単一のつま先部付きリンクを有するハイブリッドチエーン組立体
本発明の他の一連の実施例において、位相調整は、チエーン組立体において単一のつま先部付きリンク及び二つのつま先部付きリンクを組み合わせることによって、達成される。組み合わせは単一の組立体に含まれてもよく、或いは組立体の二つの部分を図３及び図４に示される分割スプロケットと組み合わせることによって含まれてもよい。図１に示される本発明のスピシースは単一のつま先部付きリンクの組１２及び二つのつま先部付きリンクの組１４を備えている。
【００５６】
組１２として示されたあるリンクの組は外側縁に側面がある（ｆｌａｎｋｉｎｇ）ガイドリンク２０を備えている。ガイドリンク２０は一つ置きのリンクの組に含まれていて、チエーン組立体をスプロケットに位置決めする作用をする。ガイドリンクはスプロケットと接触する垂れ下がる部材すなわち歯を備えていない。内側ガイドリンクも使用することができ、その場合ガイドリンクの位置を保持するために溝がスプロケットに設けられる。本発明のある実施例では、以下で示されるように、中央リンクは中央すなわち内側ガイドリンクとして作用し、したがって外側の側面にあるガイドリンクはチエーンをスプロケットに整合させる必要はない。
【００５７】
リンクの組１２、１４は、また、並べられた駆動リンク２２、２４すなわち内向き歯付きリンクを備えている。内向き歯付きリンクは図７、図８、図９及び図１０に示されるように、幾つかの形すなわち形状で与えられる。図８に示される二つのつま先部付きリンク２２は従来技術で知られており、前に述べたランダムチエーンの実施例において使用されている。リンク２２は一対の穴２８、２９及び一対の垂れ下がったつま先部３０、３２を備えている。つま先部は外側フランク３４、３６及び内側フランク３８、４０によって限定される。内側フランクは股部４１で接続している。リンク２２の内側フランク及び外側フランクは直線又は円弧を含む幾つかの形状を有し得る。リンクは穴２８と２９との間の垂直中心線の回りで対象であり、或いは中心線の回りで非対象であり得る。
【００５８】
本発明の単一のつま先部付きリンクは、図９及び図１０に示されるリンク２４、２６を含む。図９に示されるリンク２４は一対の穴４２、４４及び単一の垂れ下がったつま先部４６を有する。つま先部４６は二つのフランク４８、４９を有し、そのフランクの一方はスプロケット歯と接触するように設計されている。代わりに、単一のつま先部はスプロケットの歯元と接触し、しったがってスプロケット歯との接触が排除されるように設計され得る。フランクは直線又は円弧を含む幾つかの形状でよく、スプロケット歯と接触するように又は接触しないように設計され得る。
【００５９】
リンクは穴４２、４４の中心間で測られたピッチ５０を有する。歯の高さ５２は水平中心線からつま先部４６の基部までである。歯はその歯がスプロケットから離れるときスプロケット歯との干渉を最小限にするように造られている。歯の幾何学形状は歯の数、ピッチ、先端半径、フランク接触半径、つま先部高さ及び歯の角度並びに許容可能な干渉量に基づいて計算される。
【００６０】
図１０に示される単一のつま先部付きリンク２６は、一対の穴５６、５８及び単一の垂れ下がったつま先部６０を備える。つま先部は穴間のリンクの垂直中心線に関して非対象にすなわち僅かにオフセットして配置されている。つま先部はスプロケットと接触するための二つのフランク６２、６４を備える。他のリンクの実施例におけるように、フランクは直線又は円弧を含む幾つかの形状でよく、かつスプロケット歯と接触するように又は接触しないように設計され得る。
【００６１】
並べられたリンクの組２２、２４、２６が図１、図２及び図７に示されている。リンクの組はリンク２２及び２４の混ぜ合わせ、又はリンク２２及び２６の混ぜ合わせ、或いは三つの形式のリンク及び追加のリンクの混ぜ合わせを含み得る。図２に示されかつ図５及び図６の断面図で詳細に示されるように、チエーンの幅を横切るリンクの組は幾つかの二つのつま先部付きリンク２２と単一のつま先部付きリンクで形成され得る。図７に示されるように、リンクの縦列すなわち縦列は、縦列６７及び６８におけるように、幾つかの並べられた二つのつま先部付きリンク２２を備えている。並べられた縦列６９は幾つかの並べられた単一のつま先部付きリンク２４を備えてもよい。
【００６２】
図７に示された実施例のチエーンを組み立てるとき、二つのつま先部付きリンクの縦列６７、６８はリンク２２の列の通常の配列によって形成される。同様に、単一のつま先部付きリンクの縦列６９はリンク２４の列の通常の配列によって形成される。縦列６７、６８、６９は、その後、チエーン組立体を形成するように結合される。このように、単一のつま先部付きリンク２４は二つのつま先部付きリンク２２の間に置かれる。組立体における組み合わせにより、単一のつま先部付きリンクは内側ガイドリンクとして作用し、この実施例では外側ガイドリンクの使用が排除される。
【００６３】
図７に示された実施例において、単一のつま先部付きリンク２４は図９に示される形式である。すなわち、単一のつま先部４６はリンクの二つの穴の間の中央に配置されている。第２の実施例において、単一のつま先部は図１０に示される形式である。すなわち、単一のつま先部６０は二つの穴の間の垂直中心線から僅かにオフセットされている。この第２の実施例において、単一のつま先部付きリンク２６は内側リンクとして作用し、別のガイドリンク２０の必要性を排除している。
【００６４】
図７に示された実施例において、二つのつま先部付きリンクの縦列６７は、リンク２２ｂと並べられた単一のリンク２２ａを有し、そのリンク２２ｂは単一のリンク２２ｃと並べられている。同様に、チエーンの反対側の縦列６８において、単一のリンク２２ｄはリンク２２ｅと並べられ、そのリンク２２ｅはリンク２２ｆと並べられている。単一のつま先部付きリンクの中央縦列において、単一のリンク２４ａは二つのリンク２４ｂ及び２４ｃと並べられ、それらのリンク２４ｂ、２４ｃはリンク２４ｄと並べられている。上述の組み合わせパターン（ｌａｃｉｎｇ  ｐａｔｔｅｒｎ）はチエーンの全長に亙って続く。
【００６５】
他の実施例において、図７のリンクのあるものは、代わりの組み合わせパターンを与えるために変更され得る。例えば、リンク２４ｂ又は２４ｃのいずれかは二つのつま先部付きリンク２４と組み合わせパターンで置き換えられる。単一のつま先部付きリンク及び二つのつま先部付きリンクの他の多くのパターン及び組み合わせが本発明の範囲内で可能である。
【００６６】
図５及び図６は、動作中にチエーンがスプロケットに巻き付くとき図７のチエーンのリンクとスプロケット歯との予測される接触を示す。二つのつま先部付きリンクの幾つかのフランク又は全てのフランク及び単一のつま先部付きリンクのフランクはスプロケット歯と接触する。正確な接触はリンクの形状及びチエーン組立体におけるリンクの配列に依存する。代わりに、単一のつま先部付きリンクはスプロケット歯との接触を排除するように若しくは単にスプロケットの歯元と接触するように設計され得る。
【００６７】
図３に示されるように、変形したスプロケットは図５、図６及び図７の組立体と共に使用されるように設けられる。他の実施例と関連して既に説明したように、スプロケット１８は三つの層７０、７２、７４が設けられ、各層は隔てられたスプロケット歯７６、７８、８０を有する。スプロケット歯は、図７のチエーン組立体の単一のつま先部付きリンク及び二つのつま先部付きリンクの組み合わせとかみ合うように千鳥に配置されている。スプロケットは、チエーン組立体に設けられた二つのつま先部付きリンク又は単一のつま先部付きリンクの縦列と合うように幾つかの層でよが、好ましくは、中央の層が１／２歯間隔だけオフセットした三つの層である。層は一つの層として形成され、それからスプロケットを与えるように結合される。三つの層を結合するとき、一つの層のスプロケット歯は他の層の歯に関して千鳥になっている。したがって、各層は１／３ピッチで千鳥にされる。本発明の単一のつま先部付きリンクチエーン組立体は、色々な形状のスプロケットと共に使用することができ、図３のスプロケットと共に使用するのに限られない。
【００６８】
本発明の他の実施例が図１１及び図１２に示され、そこにおいて、チエーン組立体は二つのチエーン組立体を横に並べた組み合わせを備えている。この実施例は二重チエーン組立体及び位相調整されたスプロケットの上記実施例を単一のつま先部付きリンクと結合している。第１のチエーン組立体８２は、好ましくは、全体が単一のつま先部付きリンクで形成されている。第２のチエーン組立体８４は、好ましくは、リンク２２ｇ、２２ｈ、２２ｉ、２２ｊのような通常の二つのつま先部付きリンクで形成されている。単一のつま先部付きリンクのチエーン組立体８２は、リンク２４ｅ、２４ｆ、２４ｇ、２４ｈのような、つま先部が中央に配置された図９のリンク２４を備えている。ピンが別個のチエーン組立体のリンクを相互に連結している。
【００６９】
分割スプロケット１９は、図４に示されるような二つのチエーン組立体の実施例と共に使用するために設けられる。スプロケットは、スプロケットの一方の側８６のスプロケット歯が他方の側８８のスプロケット歯より１／２間隔進んで割り出されて、造られている。このように、一方のチエーン組立体の関節運動の点は他のチエーン組立体の関節運動の点からほぼ１／２間隔進んでいる。
【００７０】
本発明の他の実施例が図１３、図１４、図１５及び図１６に示されている。この実施例は二つの部分でチエーン組立体を備えている。それらの部分は分離されかつ隔てられ或いは単一のチエーン組立体に結合される。図１５に示されるように、チエーンはピン９９がチエーンの全幅に亙って伸びている単一の組立体であり得る。チエーン組立体の一つの部分は図１３Ａに示される単一のつま先部付きリンク１００を利用し、そのリンクは穴１０２、１０４の間の中央に配置された単一のつま先部１０１を有している。チエーン組立体の第２の部分は図１３Ｂに示される通常の二つのつま先部付きリンク１０６を使用している。もしチエーン組立体が二つの部分に分割されるなら、そのときはピンは整合される。  
【００７１】
チエーン組立体が図１４に側面図で示されている。図１４に示されるように、この実施例において、単一のつま先部１０１は二つのつま先部付きリンク１０６のつま先部１０７より長い。組立体は図１５に断面図で示されている。断面図は単一のつま先部１０１の中央位置及び二つのつま先部付きリンク１０６の二つのつま先部１０７の位置を示す。
【００７２】
チエーン組立体が図１６でスプロケット１１０と関連して示されている。図１６はチエーンのスプロケット歯との予測された接触を説明する。示されているように、長い単一のつま先部１０１は、つま先部１０１の両フランクをスプロケット歯に対して位置決めすることによってスプロケットに深く着座する。
【００７３】
位相調整されたスプロケットを有する本発明の他の実施例が図１７、図１８、図１９及び図２０に示されている。図１８に示されるように、チエーン組立体は１／２ピッチで位相調整された第１の部分１１２と第２の部分１１４とに分割されている。位相調整は二つのスプロケット部分１１６、１１８を図１７に示されるように１／２歯だけオフセットすることによって達成される。チエーン組立体は三つのリンク形式、すなわち内側リンク１２０、内側ガイドリンク１２２及び外側ガイドリンク１２４で造られている。この構造の好ましい実施例はロッカージョイントを利用し、そのロッカージョイントは砂時計形の穴１２６と一対のピボットピン１２８、１３０とを備えている。穴及びピンは米国特許第４，９１１，６８２号に示され、その米国特許は参考としてこの明細書に組み入れられている。
【００７４】
チエーンの幅を横切る図１９の実施例に対する組み合わせパターンは、中央に単一の内側ガイドリンク１２２をかつ各側に一対の外側ガイドリンク１２４を備えている。内側ガイドリンク１２２と外側ガイドリンク１２４との間に複数の内側リンク１２０がある。内側リンクは同じ形状でよく或いは不規則にされてもよい。外側ガイドリンク１２４は一対の垂れ下がったつま先部を有し、そのつま先部はスプロケット歯と接触するように造られている。外側ガイドリンクは穴１３２を備え、その穴にはピン１２８が締まり嵌めされている。外側ガイドリンクは同じ形状でも或いは不規則でもよい。
【００７５】
内側ガイドリンクはクロッチすなわち股部を有しない平らな底１３４を有している。平らな底はスプロケットに形成された溝１３６に入るように設計されている。内側ガイドリンクはチエーン組立体をスプロケットに関して所定の位置に保持する。内側ガイドリンクは穴１３８を備え、その穴はピン１３０に関するリンクの関節運動を許容する。内側リンク１２０は穴１２６を備え、その穴はピンに関するリンクの関節運動を許容する。外側ガイドリンクは締まり嵌めしているピンを受ける穴を有し、したがってリンクに関するピンの関節運動を許容しない。
【００７６】
内側及び外側ガイドリンクのこの構造は幾つかの利点を有する。一つには、内側ガイドリンク１２２は股部が無く、したがって股部によって隔てられた内向き歯を有するリンクよりも本来的に強い。第２に、ピンが締まり嵌めされた外側ガイドリンクはピンに関してリンクの関節運動を許容する穴を有するリンクより強い。強いガイドリンクを使用すると、同じ強さのチエーンを得るために、組み合わせパターンにおいてガイド列のリンクを少なくできる。ガイド列のリンクが少なくなるとチエーンのリンクの数を最小にすることができる。
【００７７】
加えて、外側ガイドリンク１２４はスプロケットの歯と接触するようにつくられた内向き歯を備えている。外側ガイドリンクに内向き歯を設けると、スプロケットと接触しない外側ガイドリンクを有する同様のチエーンに比較してより多くのリンクがスプロケットと接触できる。このように、チエーンにおいて与えられたリンクの数及びチエーンの幅に対して、より多くのリンクがスプロケットと接触する。図１８、図１９及び図２０に示された実施例は、位相調整されたスプロケットなしで別個のチエーン組立体として使用され、かつ上述の幾つかの利点を達成できる。
【００７８】
本発明の他の実施例が図２１、図２２及び図２３に示されている。実施例は二つのチエーン組立体を備え、或いはチエーン組立体は二つの別個の部分を備えている。図２１の［Ａ］及び図２１の［Ｂ］に示された組立体の一つの部分は、単一のつま先部付きリンク１４０を使用している。図２２の［Ａ］及び図２２の［Ｂ］に示された組立体の他の部分は、二つのつま先部付きリンク１４２を使用している。スプロケット構造は二つのつま先部付きリンクを受けるようにつくられた一方の部分１４４及び単一のつま先部付きリンクを受けるようにつくられた他の部分１４６を有する二重すなわち分割スプロケットである。
【００７９】
スプロケット部分は整合された歯を有する。チエーン組立体の単一のつま先部付きリンクの部分において、ピン１４８はスプロケットの歯の上で中心決めされる。チエーン組立体の二つのつま先部付きリンクの部分において、ピン１５０はスプロケットの歯の間に中心決めされる。このように、ピンはオフセットされかつ二つのチエーン組立体部分の弦運動は位相調整される。しかしながら、リンクがほぼ同時に二つの部分のスプロケット歯と衝突するとき、二つのチエーン組立体の部分の衝撃音パターンは位相調整されない。
【００８０】
動作において、本発明のチエーン組立体はチエーンとスプロケットとの接触パターンを変更する。リンクのスプロケットとの衝突は、チエーン組立体内に単一のつま先部付きリンクと二つのつま先部付きリンクを使用することによって変更される。異なる数のつま先部を有する異なる形式のリンクにより、リンクは変化する時間間隔でスプロケット歯と衝突する。したがって、スプロケットの弦作用はスプロケットとかみ合うチエーンの変化により変えられかつ減少される。上記の方法でのチエーンの変更により、接触のパターンが変更され、それによりチエーンのノイズスペクトルも変更する。
【００８１】
［発明の効果］
本発明の教示によりつくられたチエーン組立体を使用すると、全てのリンクが同じ形状でかつ同じつま先部の数を有するチエーン及びスプロケットによって発生されるノイズパターンに比較して、発生されるノイズパターンが修正される。本発明のチエーン組立体は種々のスプロケット歯の形式と共に使用可能である。もちろん、リンクの組み合わせのあるパターンはリンクの他のパターンよりも不愉快なノイズ特性を少なくする。
【００８２】
本発明の幾つかの実施例が説明されたが、本発明はこれらの実施例に限定されるものではない。当業者は本発明の原理を使用して種々の改良、変更を行うことができる。
【図面の簡単な説明】
【００８３】
【図１】本発明の一実施例のチエーン組立体の一部の側面図であって丸いピボット装置によって互いに連結された二つのリンクの形式を示す図である。
【図２】図１のチエーンの一部の上平面図である。
【図３】本発明のチエーン組立体と共に使用するためのスプロケットの一部の斜視図である。
【図４】本発明のチエーン組立体と共に使用するための別の実施例のスプロケットの一部の斜視図である。
【図５】図２の線５−５に沿って切断したチエーン組立体の断面図である。
【図６】図２の線６−６に沿って切断したチエーン組立体の断面図である。
【図７】チエーン組立体の一部の展開図であって、チエーンのリンクの組立体の一つのパターンを示す図である。
【図８】チエーンの二つのつま先部付きリンク平面図である。
【図９】本発明の単一のつま先部付きリンクの平面図である。
【図１０】リンクの垂直中心線からわずかにオフセットされた歯を有する、本発明の単一のつま先部付きリンクの別の実施例の平面図である。
【図１１】単一のつま先部付きリンクの組立体と組み合わせて使用する二つのつま先部付きリンクのチエーン組立体の側面図である。
【図１２】図１１の二つのつま先部付き組立体と組み合わせて使用する単一のつま先部付きリンクのチエーン組立体の側面図である。
【図１３】［Ａ］は本発明の一つの実施例の単一のつま先部付きリンクの平面図で、［Ｂ］は本発明の一つの実施例の二つのつま先部付きリンクの平面図である。
【図１４】単一のつま先部付きリンク及び二つのつま先部付きリンクを有する本発明のチエーンの一つの実施例の側面図である。
【図１５】図１４の線Ａ−Ａに沿って切断したチエーンの断面図である。
【図１６】図１４のチエーンのスプロケットとの接触を説明する側面図である。
【図１７】１／２ピッチ及び１／２歯オフセットにより位相調整した二つの部分を有する二重スプロケット組立体の側面図である。
【図１８】チエーン組立体の二つの部分及びスプロケット組立体の二つの部分を説明する側面図である。
【図１９】図１８のチエーンの三つの形式のリンクを説明する側面図である。
【図２０】図１９の三つのリンクの並びを説明する側面図である。
【図２１】［Ａ］は単一のつま先部を有するリンクとスプロケットとのかみ合わせを説明する側面図で、［Ｂ］はそのリンクの平面図である。
【図２２】［Ａ］は二つのつま先部を有するリンクとスプロケットとのかみ合わせを説明する側面図で、［Ｂ］はそのリンクの平面図である。
【図２３】図２１及び図２２のリンクのチエーン組立体に対するスプロケットの側面図であって、図２１のリンクに対するスプロケットを破線で整合された歯と共に示す図である。
【符号の説明】
【００８４】
１０  チエーン組立体                １２、１４  リンクの組  
１８、１９  スプロケット            ２０  ガイドリンク
２２、２４  駆動リンク              ２６  リンク
２８、２９  穴                      ３０、３２  つま先部  
３４、３６  外側フランク            ３８、４０  内側フランク            
４１  股部                          ４２、４４  穴
４６  つま先部                      ４８、４９  フランク
５６、５８  穴                      ６０  つま先部
６７、６８、６９  縦列              ７０、７２、７４  層
７６、７８、８０  スプロケット歯    ８６、８８  スプロケットの部分
８２  チエーン組立体                ９９  ピン
１００、１０６  リンク              １０２、１０４  穴
１０１、１０７  つま先部            １１０  スプロケット
１１２、１１４  チエーン組立体の部分
１１６  １１８  スプロケットの部分  
１２０  内側リンク                  １２２  内側ガイドリンク  
１２４  外側ガイドリンク            １２６  穴  
１２８、１３０  ピボットピン
【図１】
2006308106.tif 000003
【図２】
2006308106.tif 000004
【図３】
2006308106.tif 000005
【図４】
2006308106.tif 000006
【図５】
2006308106.tif 000007
【図６】
2006308106.tif 000008
【図７】
2006308106.tif 000009
【図８】
2006308106.tif 000010
【図９】
2006308106.tif 000011
【図１０】
2006308106.tif 000012
【図１１】
2006308106.tif 000013
【図１２】
2006308106.tif 000014
【図１３】
2006308106.tif 000015
【図１４】
2006308106.tif 000016
【図１５】
2006308106.tif 000017
【図１６】
2006308106.tif 000018
【図１７】
2006308106.tif 000019
【図１８】
2006308106.tif 000020
【図１９】
2006308106.tif 000021
【図２０】
2006308106.tif 000022
【図２１】
2006308106.tif 000023
【図２２】
2006308106.tif 000024
【図２３】
2006308106.tif 000025